(57)【特許請求の範囲】
【請求項１】
実質的にディスク形状の半製品を第１半製品キャリヤから第２半製品キャリヤに移送する方法であって、半製品は、少なくとも実質的に平面的に第１接着材によってその主面のうち第１主面に沿って付着して第１半製品キャリヤに接続され、前記方法は、
半製品の主面のうち第１主面とは逆の第２主面に、第１接着材の接着力よりも非常に大きな接着力を有する第２接着材によって、第２半製品キャリヤを少なくとも実質的に平面的な接着で固定し、
第１接着材の接着力よりも非常に大きな接着力を有する第３接着材によって、第１半製品キャリヤを第１保持装置に固定し、
第１接着材の接着力よりも非常に大きな接着力を有する第４接着材によって、第２半製品キャリヤを第２保持装置に固定し、
半製品の主面に少なくとも部分的に垂直である引張り力を第１および第２保持装置間に印加することによって、第１接着材に沿って第１半製品キャリヤから半製品を分離し、
第１半製品キャリヤを第１保持装置から分離し、
自身に接続された半製品を有する第２半製品キャリヤを第２保持装置から完全に分離する、処理手順を備える方法。
【請求項２】
少なくとも実質的に強固に構成された半製品キャリヤを、半製品キャリヤとして使用することを特徴とする、請求項１に記載の方法。
【請求項３】
第１半製品キャリヤは強磁性材料で構成され、
第１半製品キャリヤの第１保持装置への固定は、
要望どおりに活性化または非活性化でき、かつ、第１接着材の接着力よりも非常に大きい第１磁力で第１半製品キャリヤと第１保持装置との間に磁力を発生させる第１磁石装置により実現されることを特徴とする、請求項１または２に記載の方法。
【請求項４】
第２半製品キャリヤは、強磁性材料で構成され、
第２半製品キャリヤの第２保持装置への固定は、
要望どおりに活性化または非活性化でき、かつ、第１接着材の接着力よりも非常に大きい第２磁力で第２半製品キャリヤと第２保持装置との間に磁力を発生させる第２磁石装置により達成されることを特徴とする、請求項１または２に記載の方法。
【請求項５】
保持装置のうちの少なくとも１つを、自身に固定されている半製品キャリヤから分離することは、保持装置の少なくとも１つの一部を形成するエジェクション装置により達成されることを特徴とする、請求項１または２に記載の方法。
【請求項６】
少なくとも１つのエジェクタピンを含むエジェクション装置を使用して、自身に固定されている半製品キャリヤから保持装置を分離し、
前記保持装置に固定されている半製品キャリヤは、半製品キャリヤをこの保持装置に固定するために使用される保持装置に対向する半製品キャリヤの側面に与えられる圧力でエジェクタピンによって保持装置から取り外されることを特徴とする、請求項５に記載の方法。
【請求項７】
少なくとも圧力ガス装置を含むエジェクション装置を使用して、自身に固定されている半製品キャリヤから保持装置を分離し、
前記保持装置に固定されている半製品キャリヤは、半製品キャリヤをこの保持装置に固定するために使用される保持装置に対向する半製品キャリヤの側面に与えられる圧力で圧力ガス装置によって保持装置から取り外されることを特徴とする、請求項５に記載の方法。
【請求項８】
半製品キャリヤの固定が磁石装置によって有効化されている保持装置のうちの少なくとも１つにおいて、半製品キャリヤが、磁石装置に対して移動可能である実質的に平坦なサポート要素上に配置され、このサポート要素は、保持装置から半製品キャリヤを分離する磁石装置の有効範囲から半製品キャリヤとともに離され,
半製品キャリヤの少なくとも１つが、スチール製でローラ上に配置された平面シート状の第１サポート要素上に置かれ、半製品キャリヤは、保持装置から分離するために、平面シート状の第１サポート要素の転動により平面シート状の第２サポート要素上に移送されることを特徴とする、請求項３または４に記載の方法。
【請求項９】
接着材の少なくとも１つは、両面接着箔として構成されることを特徴とする請求項１に記載の方法。
【請求項１０】
実質的にディスク形状の半製品を、第１半製品キャリヤから、この半製品を設けるべき第２半製品キャリヤへ移送する方法を実行する装置であって、第１半製品キャリヤには、半製品が第１接着材によってその主面のうちの第１主面に沿ってすくなくとも実質的に平坦に接着されて接続され、
第２半製品キャリヤには、第１接着材の接着力よりも非常に大きな接着力を有する第２接着材により半製品の主面のうち第１主面とは逆の第２主面によってすくなくとも実質的に平坦に接着されて固定され、
第１接着材の接着力よりも非常に大きな接着力を有する第３接着材により、自身に第１半製品キャリヤを固定する第１保持装置と、
第１接着材の接着力よりも非常に大きな接着力を有する第４接着材により、自身に第２半製品キャリヤを固定する第２保持装置とをさらに備える装置。
【請求項１１】
半製品は、少なくとも第２主面に沿って複数の電子回路本体を形成するよう構成された、半導体ウェーハである半導体技術製品であり、
前記本体は、第２主面に対して実質的に垂直に機械的に分離されることを特徴とする、請求項１０に記載の装置。
【請求項１２】
半製品キャリヤは、少なくとも実質的に強固な構造体であることを特徴とする請求項１０または１１に記載の装置。
【請求項１３】
第１半製品キャリヤは強磁性材料で構成され、
第１磁石装置は、要望どおりに活性化または非活性化でき、第１接着材の接着力よりも非常に大きい第１磁力を有する、第１半製品キャリヤと第１保持装置との間の磁力によって第１半製品キャリヤを第１保持装置へ固定する、ことを特徴とする、請求項１０、１１または１２に記載の装置。
【請求項１４】
第２半製品キャリヤは強磁性材料で構成され、
第２磁石装置は、要望どおりに活性化または非活性化でき、第１接着材の接着力よりも非常に大きい第２磁力を有する、第２半製品キャリヤと第２保持装置との間の磁力によって第２半製品キャリヤを第２保持装置へ固定することを特徴とする、請求項１０、１１または１２に記載の装置。
【請求項１５】
保持装置の少なくとも１つの一部を形成し、保持装置に固定されている半製品キャリヤから保持装置の少なくとも１つを分離するエジェクション装置により特徴づけられる、請求項１３または１４に記載の装置。
【請求項１６】
保持装置に固定された半製品キャリアから保持装置を分離するエジェクション装置は、前記保持装置に対向する半製品キャリヤの側面に与えられる圧力で保持装置から半製品キャリヤを分離させることができる少なくとも１つのエジェクションピンを含むことを特徴とする、請求項１５に記載の装置。
【請求項１７】
保持装置に固定された半製品キャリアから保持装置を分離するエジェクション装置は、前記保持装置に対向する半製品キャリヤの側面に与えられる圧力で保持装置から半製品キャリヤを分離させることができる少なくとも１つの圧力ガス装置を含むことを特徴とする、請求項１６に記載の装置。
【請求項１８】
磁石装置が設けられた保持装置の少なくとも１つは、半製品キャリヤを収容する第１サポート要素で構成され、
前記サポート要素は、磁石装置に対して移動可能であり、実質的に平坦な構造体であり、さらに、保持装置から半製品キャリヤを分離させるために磁石装置の有効範囲から半製品キャリヤとともに移動可能であり、
第１サポート要素は、平面シートとして構成され、スチール製であり、保持装置から半製品キャリヤを分離するためにローラ上を移動可能であり、関連する保持装置には、平面シート状の第２サポート要素が設けられ、半製品キャリヤは、ローラ上で第１サポート要素が動くことにより平面シート状の第１サポート要素から第２サポート要素上に移送可能であることを特徴とする、請求項１６または１７に記載の装置。
【請求項１９】
第１の平面シート状サポート要素の少なくとも１つは、半製品キャリヤ上に保持するためにその面上に接着材層または両面接着箔を少なくとも部分的にさらに含むことを特徴とする、請求項１８に記載の装置。
【発明の詳細な説明】
【０００１】
【発明の属する技術分野】
本発明は、実質的にディスク形状の半製品（workpiece）を移送する方法に関連する。本発明はさらに、この方法を実行する装置に関連する。
【０００２】
【従来の技術】
いわゆる半製品キャリヤ、特にキャリヤディスクまたはキャリヤプレートでの仮糊付けは、実質的に平面の、特に非常に薄く壊れやすい半製品の片面または両面処理に関して適切な手順であり、その上、この処理は半製品の変形や実際の破損を回避するように行われている。本明細書における非常に薄い半製品は、その長さ、幅または直径に対して厚さが小さい半製品として理解されたい。
【０００３】
公衆に公開されたドイツ特許公報第１９８５０８７３号には、少なくとも第１主面とこの第１主面の反対に位置する第２主面とに沿った複数の電子回路本体を含む実質的にディスク形状の半導体技術製品を処理する方法が開示されている。製品のこれらの主面のうちの一つに処理過程を実行するこの方法において、製品の反対の主面に層状の接着材が平面状に与えられ、この接着材上には寸法上少なくとも実質的に安定したキャリヤ要素が製品の上記反対の主面に対して平面的な接続部を形成するよう設けられる。
【０００４】
【発明が解決しようとする問題】
本発明の目的は、上述した種類の半製品を第１半製品キャリヤから第２半製品キャリヤ上へ簡易かつ廉価に移送することを可能にする方法を提供することにある。本発明の別の目的は、このような方法を実行する装置を提供することにある。
【０００５】
本発明によれば、この目的は、実質的にディスク形状の半製品を第１半製品キャリヤから第２半製品キャリヤに移送する方法であって、半製品は、少なくとも実質的に平面的に第１接着材によってその主面のうち第１主面に沿って付着して第１半製品キャリヤに接続され、上記方法は、
半製品の主面のうち第１主面とは逆の第２主面に、第１接着材の接着力よりも非常に大きな接着力を有する第２接着材によって、第２半製品キャリヤを少なくとも実質的に平面的な接着で固定し、
第１接着材の接着力よりも非常に大きな接着力を有する第３接着材によって、第１半製品キャリヤを第１保持装置に固定し、
第１接着材の接着力よりも非常に大きな接着力を有する第４接着材によって、第２半製品キャリヤを第２保持装置に固定し、
半製品の主面に少なくとも部分的に垂直である引張り力を第１および第２保持装置間に印加することによって、第１接着材に沿って第１半製品キャリヤから半製品を分離し、
第１半製品キャリヤを第１保持装置から分離し、
自身に接続された半製品を有する第２半製品キャリヤを第２保持装置から完全に分離する、処理手順を備える方法により、達成される。
【０００６】
したがって、本発明による処理ステップの開始時には、半製品は第１半製品キャリヤに存在し、これは第１接着材によって第１半製品キャリヤの第１主面に固定されたものである。半製品は本発明による方法によってこの第１半製品キャリヤから第２半製品上に移送され、この第２キャリヤ上では半製品はその第２主面に沿って少なくとも実質的に平面状の接着で配置される。ここでは、半製品の第２主面と第２半製品キャリヤとの間の接続は、第１接着材の接着力よりも実質的に大きな接着力を有する第２接着材によって達成され、これにより、保持装置間に引っ張り力を印加すると第１接着材は確実に分離され、それに対し第２接着材は半製品の第２半製品キャリヤへの固定を維持する。ここにおける保持装置は、引っ張り力を半製品キャリヤに伝達するよう機能し、半製品の移送が完了した後再び半製品キャリヤから分離される。
【０００７】
本発明による方法は、機械的に壊れやすい半製品を１つの半製品キャリヤから別の半製品キャリヤへ安全に移送することを廉価でかつ簡易に可能にする。半製品の移送前に接着力を変化させるための第１接着材の別処理は必要ではない。
【０００８】
ここでは特に、少なくとも実質的に強固に構成された半製品キャリヤを使用することができる。
【０００９】
半製品キャリヤの保持装置への固定は、要望に応じて接着材または磁力により達成してもよい。上記接着材または磁力は、半製品キャリヤと保持装置との間に、第１接着材の接着力よりも実質的に大きい接着力を生成し、これにより、引っ張り力が与えられても半製品キャリヤは保持装置に確実に接続されたままである。
【００１０】
半製品の移送後の保持装置からの半製品キャリヤの分離は、少なくとも１つの保持装置の一部を形成するエジェクション装置により達成することが好ましい。このエジェクション装置は、分離すべき半製品に圧力を与えるよう、分離ステップを実行するときに少なくとも１つのエジェクタピンまたは圧力ガス装置を効果的に操作する。
【００１１】
本発明による方法の別の有利な実施の態様において、半製品キャリヤは、上記磁石装置によって半製品キャリヤの固定が達成される少なくとも１つの保持装置におけるサポート要素上に配置され、このサポート要素は磁石装置に対して移動可能であり、また実質的に平面状の構成物である。サポート要素は、半製品キャリヤを保持装置から分離するために、磁石装置の動作範囲から半製品キャリヤとともに移動させられる。この取外しは、好適にはローラ上の平面スチール板である第１サポート要素上に少なくとも１つの半製品キャリヤを配置し、また、半製品キャリヤを、保持装置から分離するために第１平面シートサポート要素の転動によって第２平面シートサポート要素に移送することにより好適に達成される。
【００１２】
本発明による方法の別の実施の態様および詳細は、請求項１に続く従属請求項において規定される。
【００１３】
本発明による方法を実行するために、さらに、実質的にディスク形状の半製品を、第１半製品キャリヤから、この半製品を設けるべき第２半製品キャリヤへ移送する方法を実行する装置であって、第１半製品キャリヤには、半製品が第１接着材によってその主面のうちの第１主面に沿ってすくなくとも実質的に平坦に接着されて接続され、第２半製品キャリヤには、第１接着材の接着力よりも非常に大きな接着力を有する第２接着材により半製品の主面のうち第１主面とは逆の第２主面によってすくなくとも実質的に平坦に接着されて固定され、第１接着材の接着力よりも非常に大きな接着力を有する第３接着材により、自身に第１半製品キャリヤを固定する第１保持装置と、第１接着材の接着力よりも非常に大きな接着力を有する第４接着材により、自身に第２半製品キャリヤを固定する第２保持装置とをさらに備える装置が提供される。
【００１４】
半製品を固定する半製品キャリヤに加え、本発明による装置はまた、自身に第１半製品キャリヤを固定する第１保持装置と、自身に第２半製品キャリヤを固定する第２保持装置とを含んでいる。
【００１５】
半導体技術製品、好適には半導体ウェーハであり、第２主面に対して実質的に垂直に機械的に分離されるべき複数の電子回路本体を形成するために少なくとも第２主面に沿って構成される半製品を処理するために本発明による装置は好適に使用される。この場合、本発明は、これによって実施されうる移送による第１主面のその後の処理、例えばシンニング（thinning）、被覆などの処理ステップを簡易に行うため、半製品を第２半製品キャリヤ上に配置することができる。
【００１６】
本発明による装置の別の実施の態様および詳細は、独立請求項１３に続く従属請求項において見出される。
【００１７】
本発明による装置は簡素な構成物であり、確実かつ廉価であり、従って合理的な製造を可能にする。
【００１８】
本発明の実施の形態は図面に示されており、以下に詳細に説明する。
【００１９】
【発明の実施の形態】
図１の線図において、ほぼディスク形状の半製品１、特に薄い半導体ウェーハは、図示の半製品１の位置において上面を形成する第１主面によって、第１の少なくとも実質的に強固に構成された半製品キャリヤ２に第１接着材３によって平面状に固定される。第１接着材３は、第１の両面接着箔３として構成された第１接着材によって形成されることが好ましい。この第１両面接着箔３は、既知の方法で、その２つの面が接着層で覆われている箔形合成樹脂体で構成されている。これらの面のうち第１の面は、第１接着層とともに第１半製品キャリヤ２に対向しており、また、これらの面のうち第２の面は、第２接着層とともに半製品１に対向している。この配置を図４に示す。
【００２０】
図２は、次の処理ステップを線図で示している。ここで、半製品１および第１半製品キャリヤ２は、第１主面とは逆の、図示の半製品１の位置で下側を形成する半製品１の第２主面により、少なくともほぼ平面接着するように第２のすくなくともほぼ強固に構成された半製品キャリヤ４に第２接着材５で固定される。第２接着材５の接着力は、第１接着材３の接着力よりも十分に大きい。第２接着材５も、両面接着箔で構成された接着層により形成されることが好ましく、また、以下に第２接着材と呼ぶこの接着材は、第２両面接着箔によって形成される。第２両面接着箔５もまた、その二つの面が接着層で覆われている箔形合成樹脂体により既知の方法で構成される。これらの面のうち第１面は、第４接着層とともに半製品１に対向している。この配置を図４に示す。
【００２１】
図３は、半製品１、半製品キャリヤ２および４、これらを相互接続する接着材３および５の図２に線図で示した配置が、２つの保持装置間でどのよう置かれるかを示す第１の実施の形態を示している。第１半製品キャリヤ２はこれらの保持装置のうち参照符号６で示される第１保持装置に固定され、また、第２半製品キャリヤ４はこれらの保持装置のうち参照符号７で示される第２保持装置に固定される。本実施形態における第１保持装置６への第１半製品キャリヤ２の固定は、第３接着材８によって達成され、また、第２保持装置７への第２半製品キャリヤ４の固定は、第４接着材９によって達成される。第１半製品キャリヤ２と第１保持装置６との間の第３接着材８の接着力、および第２半製品キャリヤ４と第２保持装置７との間の第４接着材９の接着力は、第１接着材３の接着力よりもかなり大きく、また、第２接着材５の接着力よりも大きい。これにより、分離ステップにおいては、第１接着材３が最初に分離されることが保証される。
【００２２】
第３および第４接着材８および９も、両面接着箔、すなわち第３および第４両面接着箔で形成すると好適である。これらの両面接着箔８および９のそれぞれも、その２つの面が接着層で覆われた箔形合成樹脂体で形成される。第３両面接着箔８のこれらの面のうち第１の面は、第５接着層とともに第１半製品キャリヤに対向し、また、第３両面接着箔８のこれらの面のうち第２の面は、第６接着層とともに第１保持装置６に対向する。同様に、第４両面接着箔９のこれらの面のうち第１の面は、第７接着層とともに第２半製品キャリヤ４に対向し、また、第４両面接着箔９のこれらの面のうち第２の面は、第８接着層とともに第２保持装置７に対向する。この配置を図４に示す。
【００２３】
図４は、上述した面および接着層をその相互配置においてより詳細に示す。上記説明において参照番号を付した要素については、参照番号を変更せず、これらの要素の他に、以下の参照番号を有する以下の更なる要素も記載する。すなわち、半製品１の第１主面１０および第２主面１１と、第１両面接着箔３の合成樹脂体１２、第１接着層１５を有する第１面１３、および第２接着層１６を有する第２面１４と、第２両面接着箔５の合成樹脂体１７、第３接着層２０を有する第１面１８、および第４接着層２１を有する第２面１９と、第３両面接着箔８の合成樹脂体２２、第５接着層２５を有する第１面２３、および第６接着層２６を有する第２面２４と、第４両面接着箔９の合成樹脂体２７、第７接着層３０を有する第１面２８、および第８接着層３１を有する第２面２９と、である。
【００２４】
第１両面接着箔３としての第１接着材の実施の形態において、第２接着層１６は半製品１に対しての接着力が最も弱いことが好ましく、その結果、この第１両面接着箔３は、半製品１を第１ワークキャリヤ２から分離する間に第１半製品キャリヤ２に残留するので、これにより、半製品１が分離される。
【００２５】
磁石装置を備えた構成において保持装置６および７のうち少なくとも一方の実施の形態を図示すると、図４は、第３接着材８に代わる、第１保持装置６と第１半製品キャリヤ２との間の磁界３２と、第４接着材９に代わる、第２保持装置７と第２半製品キャリヤ４との間の磁界３３とをさらに示している。半製品キャリヤ２および４は、この目的で強磁性材料から構成される。保持装置６、７はそれぞれ第１および第２磁石装置を含み、関連する半製品キャリヤ２および４を保持装置に磁力で固定するために、必要に応じて活性化および非活性化される。この場合に、保持装置６または７と対応する半製品キャリヤ２または４との間に発生する磁力は、第１接着材３の接着力よりもかなり大きくなるよう選択される。この構造の保持装置の実施の形態は、以下に説明するいくつかの図面において示される。
【００２６】
図４はさらに、一般的な配向のための以下の要素を示す。すなわち、第１保持装置６の面３４であり、これに沿って第１保持装置６が少なくともほぼ平面状に第１半製品キャリヤ２に接続される。また、第２保持装置７の面３５であり、これに沿って第２保持装置７が少なくともほぼ平面状に第２半製品キャリヤ４に接続される。また、第１半製品キャリヤ２の面３６であり、これに沿って第１半製品キャリヤが少なくともほぼ平面状に第１保持装置６の面３４に接続される。また、第１半製品キャリヤ２の面３７であり、これに沿って第１半製品キャリヤ２が少なくともほぼ平面状に半製品１の第１主面１０に接続される。さらに第２半製品キャリヤ４の面３８であり、これに沿って第２半製品キャリヤ４が少なくともほぼ平面状に半製品１の第２主面１１に接続される。また、第２半製品キャリヤ４の面３９であり、これに沿って第２半製品キャリヤ４が少なくともほぼ平面状に第２保持装置７の面３５に接続される。
【００２７】
図３の第１の実施の形態において、第１半製品キャリヤ２は、第３接着材８によって第１保持装置6に固定され、また、第４接着材９によって第２半製品キャリヤ４に固定されており、第１保持装置６は第１エジェクション装置４０を含んでいる。第１エジェクション装置４０は、プランジャ４１およびエジェクタピン４２を備えている。エジェクタピン４２は、第１半製品キャリヤ２に対向する面３４における空隙（例えば穴）４３を通り、これにより、これらのピンは第１半製品キャリヤ２に機械的に接触できる。第１半製品キャリヤ２は、第１保持装置６に対向する第１半製品キャリヤ２の面３４上にエジェクタピン４２によって与えられた圧力で、第１保持装置６から分離できる。
【００２８】
同様に、図３の第１の実施の形態における第２保持装置７は、第２エジェクタ装置４４を含んでいる。これはプランジャ４５およびエジェクタピン４６を備えている。エジェクタピン４６は、第２半製品キャリヤ４に対向する面３５における空隙（例えば、穴）４７を通り、これにより、これらのピンは第２半製品キャリヤ４と機械的に接触できる。第２保持装置７に対向する第２半製品キャリヤ４の面３５のエジェクタピン４６によって与えられた圧力により、上記キャリヤは第２保持装置７から分離される。
【００２９】
図３は、保持装置６、７が半製品２、４に接続された処理ステップの終了後の本発明による装置の第１の実施の形態を示している。半製品１、半製品キャリヤ２および４、並びに保持装置６および７の集合体は、保持装置６および７を介して半製品キャリヤ２および４に引っ張り力を与えることの可能な引張り装置に導入され、この引張り力は少なくとも部分的に、好適に示す実施の形態においては少なくともほぼ正確に、半製品１の主面に対して垂直である。この引張り装置の作用、すなわち引っ張り力の方向は、図３の矢印４８および４９で示してある。
【００３０】
図５は、次の処理ステップの後の図３の配置を示しており、上述の要素には同じ参照番号が再び与えられている。保持装置６および７に印加される引張り力の効果は、矢印４８および４９の網掛けで示してあり、また、この引張り力の作用によって、保持装置６および７、半製品キャリヤ２および４、並びに、半製品１の構成が引き離される。この間、第１接着材３は切り離され、すなわち特に両面接着箔として構成されている場合は、その第２接着層１６によりその配置の上記要素間の結合が最も弱くなる。この分離ステップ後の配置の状態を、図５に示す。
【００３１】
図６は、図３および５の配置の実施の形態に対する次の処理ステップとしての、保持装置６および７からの半製品キャリヤ２および４の分離の実行を図示している。同一の要素には、同一の参照番号が再び与えられている。
【００３２】
図６において明確にされる第１処理ステップにおいて、この実施の形態の第１半製品キャリヤ２は、第１エジェクション装置４０のプランジャ４１の動作によって、第１保持装置６から分離される。これを矢印４１の細かな網掛けで示す。プランジャ４１は、穴４３を介してエジェクタピン４２を第１半製品キャリヤ２に対して移動させ、これにより第３接着材８が分離される。第３接着材８が上記のように両面接着箔として構成されて面３４に接着した場合、この分離ステップで分離されるのは、特にこの箔の第１面２３の第５接着層２５である。従って、箔は第１保持装置６上に残留し、この箔を（別の）第１半製品キャリヤ２への第１保持装置６の次の接続で（別の半製品１のために）使用することができる。この処理ステップを摩擦無しに実行することを達成するために、第３両面接着箔８は、穴４３の位置において、その直径またはエジェクタピン４２の直径に応じた穴を有している。
【００３３】
このように第３両面接着箔８で形成される第１保持装置６の面３４は図１０に図示しており、これについては以下に詳細に説明する。
【００３４】
図６の配置はさらに、第１保持装置６から分離した後の第１半製品キャリヤ２を受けるサポート５０を含んでいる。第１半製品キャリヤ２は、後に使用するためにこのサポート５０上に置かれる。
【００３５】
第１半製品キャリヤ２および第１保持装置６と同様の方法で、第２半製品キャリヤ４も第２保持装置７から分離される。これを図６の下部に示す。この目的のため、第２エジェクション装置４４を、プランジャ４５の動作により、穴４７に通したエジェクタピン４６とともに同様に使用する。動作は、プランジャ４５の矢印の細かな網掛けで示す。これにより、第４接着材９は分離される。第４接着材９が両面接着箔として構成されている場合、第４両面接着箔９の第１面２８にあるその第７接着層３０は好適に分離され、これにより両面接着箔９は、再び第２保持装置７の面３５に残る。サポート５０に対応するサポート（図示せず）を使用して、第２保持装置７から分離した半製品１とともに第２半製品キャリヤ４を支持してもよい。
【００３６】
図７は本発明の第２の実施の形態を示しており、これは上述の配置とそれによって実行される方法の変形例である。保持装置６および７のエジェクション装置はそれぞれ、プランジャ４１および４５並びにエジェクタピン４２および４６の代わりに、圧力ガス装置５１および５２を含んでおり、これによって半製品キャリヤ２および４は、それぞれの保持装置６および７の面３４および３５に対向する第１および第２半製品キャリヤ２および４の面３６および３９に与えられる圧力によって、上記各保持装置６および７から分離される。その他の点では、図７の既に説明した配置の要素には、同じ参照番号が再び付与される。
【００３７】
第１保持装置６における二つの圧力ガス装置のうち第１圧力ガス装置５１は第１圧力接続部５３を含んでおり、これにより、圧力を受けたガスは、第１保持装置６内に形成された圧力室である中空空間に案内される。この圧力室は第１圧力ガス接続部５３を、現在ガス排出口として機能する第１保持装置６の面３４における穴４３に接続する。矢印５５は、圧力を受けたガスの導入と、これにより第１半製品キャリヤ２に与えられた力を示している。上記ガスは、最も単純な場合は圧縮空気であるが、これが半製品の処理に望ましい場合は他の構成物（保護ガス）でもよい。
【００３８】
同様に、第２保持装置７における二つの圧力ガス装置のうち第２圧力ガス装置５２は第２圧力ガス接続部５４を含んでおり、これにより、圧力を受けたガスは、対応する方法で第２保持装置７内に形成される別の圧力室に導入される。この別の圧力室は第２圧力ガス接続部５４を、現在ガス排出口として機能する第２保持装置７の面３５における穴４７に接続する。矢印５６は、圧力を受けたガスの導入と、これにより第２半製品キャリヤ４に与えられる力を示している。
【００３９】
図８は次の処理ステップ後の図７の配置を示しており、上述した要素はまた同じ参照番号を有している。図３の第１の実施の形態のように、保持装置６および７に与えられる引張り力は、保持装置６および７、半製品キャリヤ２および４、並びに半製品１の構成を引き離す。その影響を矢印４８および４９の細かな網掛けで示す。第１接着材３はこれにより再び引き離され、また、両面接着箔として構成されている場合は、第２接着層１６は、特に上記配置の上記要素間の最も弱い結合として引き離される。この分離ステップ後の配置の状態を図８に示す。
【００４０】
図９は、保持装置６および７からの半製品キャリヤ２および４の分離を図示しており、これは図７および８の配置の実施の形態における次の処理ステップとして実行される。上述した要素には、同じ参照番号が再び与えられる。
【００４１】
この実施の形態の図９に示す第１処理ステップにおいて、第１半製品キャリヤ２は、第１圧力ガス装置５１の動作により、第１保持装置６から分離される。これを矢印５５の細かな網掛けで示す。圧力ガスの圧力は、穴４３を介して第１半製品キャリヤ２に作用し、これにより第３接着材８を分離する。第３接着材８も上述した方法で両面接着箔として形成されている場合、面３４に付着するのは、特にこの分離ステップで分離されるこの箔の第１面２３上の第５接着層２５である。従って、箔は第１保持装置６に残留し、第１保持装置６の（別の）第１半製品キャリヤ２（別の半製品１用）への次の接続に使用することができる。第３両面接着箔８は、この処理ステップの摩擦の無い動作を実現するよう、対応する直径を有する穴４３の領域に穴を有している。
【００４２】
第３両面接着箔８を有する第１保持装置６でこのように形成される面３４は、図１０に図示するような形状を有しており、これについては以下に詳細に説明する。
【００４３】
図９の配置も、第１保持装置６からのその分離後に第１半製品キャリヤ７を受けるサポート５０を含んでいる。第１半製品キャリヤ２は、さらに使用するためにこのサポート５０上に置かれる。
【００４４】
この第２の実施の形態においても、第２半製品キャリヤ４は、第１保持装置6から第１半製品キャリヤ２を分離するのと同様に、第２保持装置７から分離される。これを図９の下部に示す。この目的のために、第２圧力ガス装置５２を同様に使用する。この装置の動作を矢印５６の細かな網掛けで示す。第４接着材９はこれにより分離される。第４接着材9が両面接着箔として構成されている場合、第４両面接着箔９の第１面２８にあるその第７接着層３０が好適に再び分離され、これにより、両面接着箔９は、この場合も第２保持装置７の面３５に残留する。サポート５０に対応するサポート（図示せず）を使用して、第２保持装置７から分離した半製品１とともに第２半製品キャリヤ４を収容してもよい。
【００４５】
図１０は、その上に第３両面接着箔８が設けられた第１保持装置６の面３４、およびエジェクタピン４２の穴４３の実施の形態を示す。第３両面接着箔８もまた、その位置が穴４３の位置に対応する穴を有している。そのため、エジェクタピン４２は、第３両面接着箔８を面３４から分離することなく第１半製品キャリヤ２に圧力を与えることができる。
【００４６】
面３５を有する第２保持装置7は、図１０の構成に対応する構成を有しており、第３両面接着箔８の代わりに第４両面接着箔９を、穴４３の代わりに穴４７を、また、エジェクタピン４２の代りにエジェクタピン４６を有している。
【００４７】
保持装置６および７の面３４および３５の同様の配置は第２の実施の形態においても見出され、その中では圧力ガス装置５１、５２がプランジャ４１、４５およびエジェクタピン４２、４６に取り代わっている。図１０の配置において、穴４３、４７にはエジェクタピン４２、４６が無い。その他、保持装置６、７の面３４、３５の配置は基本的に同じである。
【００４８】
図１１は、図７、８および９に示す本発明の第２の実施の形態の変形例を示しており、上述した要素には同じ参照番号が再び付されている。第２の実施の形態の要素およびこれにより実行される処理ステップの他に、図１１に示す現在の第３の実施の形態の配置は、好適にはエジェクタピン４６よりも数の少ないエジェクタピン５９を含む第２エジェクタ５７を具備しており、これにより、図３、５および６に示す第１の実施の形態の第２エジェクション装置４４に関する変化を構成する。エジェクタピン５９は穴６０に通される。これらは、第２保持装置７の面３５における圧力ガス用の穴４７に加えて配置してもよいし、または、多数の穴４７をエジェクタピン５９用の穴６０として使用してもよい。第２保持装置７の構成も、本質的には図１０の構成に対応する。
【００４９】
第３の実施の形態における処理ステップの順序は、第２の実施の形態の順序に対応する。図１１は、図９に示す状態に匹敵する状態の第３の実施の形態を示している。第２の実施の形態で説明した処理ステップの他に、第２保持装置７からの第２半製品キャリヤ４の分離の後に、図１の細かな網掛け矢印５８で示すように、第２エジェクタ５７のエジェクタピン５９が取り出される。その結果、すでに分離してある第２半製品キャリヤ４がエジェクタピン５９によって持ち上げられ、これにより特に面３５および第２半製品キャリヤ４との間の空間分離を簡易かつ明確に大きくでき、また、第２半製品キャリヤ４を、例えば第２サポート上で上述したように第２保持装置７から取り外すことができる。
【００５０】
図１２は、第４の実施の形態における、磁石装置とサポート要素とをローラ上の平面シートの態様で有する配置における、第２半製品キャリヤ４用の保持装置の例に対する保持装置の構成の変形例を図示している。この保持装置の変形例には参照番号７１が付されている。保持装置７１は、その外側の少なくともほぼ平坦な面７３上に好適にはスチールの連続トラックとして構成された第１移動トラック７６が置かれ、二つのローラ７４、７５の周辺に配置されて、かつ、これらのローラを中心に回転可能な電磁石を含んでいる。半製品１を含む第２半製品キャリヤ４は第１移動トラック７６上に置かれ、上記トラックは、更に好適には電磁石から離れて対向する面上において例えば両面粘着箔などの粘着層７７で覆われている。第２半製品キャリヤ４はここでは強磁性材料で構成されており、これにより電磁石７２にひきつけられる。本実施形態の変形例において、保持装置７１を第１半製品キャリヤ２の第１保持装置として代替的に使用してもよい。また、半製品キャリヤ２および４を電磁石７２の面７３の上に直接載置させ、第１移動トラック７６をそのままにしておくことも可能である。
【００５１】
本発明のこの第４の実施の形態における処理ステップは、上述した実施形態に実質的に一致する。しかしながら、半製品キャリヤ、ここでは半製品キャリヤ４を、保持装置、ここでは（第２）保持装置７１から分離する処理ステップにおいては変形例が見出されている。これを図１２から１４に示し、以下に説明する。
【００５２】
図１２に示すように、電磁石７２は、第１接着材３の分離中に、保持装置７１上の第２半製品キャリヤ４を保持するためにオンに切り替えられる。磁力は細かな網掛けの矢印７９で示す。第１移動トラック上の接着層７７により、更に固定が強固となる。
【００５３】
図１３は、保持装置７１、第１移動トラック７６、第２半製品キャリヤ４、半製品１を有する配置を平面図で示している。
【００５４】
第１接着材３の分離後、図１４に示すように電磁石７２はオフに切り替わり、第２半製品キャリヤ４は、これにより保持装置７１から分離される。電磁石７２のオフへの切り替えは、図１４の網掛けの無い矢印７９で示す。第１移動トラック７６は、保持装置７１から第２半製品キャリヤ４を分離するために回転され、これにより、第２半製品キャリヤ４は電磁石７２の有効範囲から外される。第２半製品キャリヤ４は、第２移動トラック７８への転動によって、第１移動トラック７６から移動し、これにより、同時に接着層７７が自動的に分離される。第２移動トラックは好ましくは通気性があり、接着層なしで構成され、第２半製品キャリヤ４を更に移送するよう機能する。矢印８０は、転動中の移動トラック７６および７８の移動の方向を示している。
【００５５】
図示の実施の形態の他の変形例において、保持装置に半製品キャリヤを固定し、また、保持装置から半製品キャリヤを分離するための方法および装置を組合せ、異なる構成および方法が第１および第２保持装置に使用されるようにしてもよい。更なる可能性に加えて、例えば、図１２〜１４の第４の実施の形態による第２保持装置を、図７〜９に示す第２の実施の形態による第１保持装置と組み合わせてもよい。
【図面の簡単な説明】
【図１】第１接着材により第１半製品キャリヤに固定された半製品の具体例を図示する。
【図２】第１半製品キャリヤに対向する半製品上に第２半製品キャリヤを固定した後の図１の半製品を有する半製品キャリヤを図示する。
【図３】本発明の第１の実施の形態において、第１保持装置に第１半製品キャリヤを固定し、また、第２保持装置に第２半製品キャリヤを固定した後の、図２の２つの半製品キャリヤを有する半製品を図示する。
【図４】図３の配置の分解図である。
【図５】第１半製品キャリヤからの半製品の分離後の、図３の配置を示す。
【図６】第１保持装置から第１半製品キャリヤを更に分離し、かつ、自身に結合した半製品を有する第２半製品キャリヤを第２保持装置から更に分離した後の、図３および５の配置を示す。
【図７】第２の実施の形態における図３の配置の変形例を図示する。
【図８】第１半製品キャリヤからの半製品の分離後の、図７の配置を示す。
【図９】第１保持装置からの第１半製品キャリヤ更に分離し、かつ、自身に結合した半製品を有する第２半製品キャリヤを第２保持装置から更に分離した後の、図７および８の構成を示す。
【図１０】第１または第２の実施の形態における第１または第２保持装置の平面図である。
【図１１】第３の実施の形態における図９の配置の変形例である。
【図１２】第４の実施の形態における、磁石装置と、ローラ上の平坦シート状の支持要素とを有する構造の保持装置の配置を図示する。
【図１３】図１２の配置の平面図である。
【図１４】何れか１つの半製品キャリヤの転動中の図１２および１３の配置を図示する。
【図１】
0004209141.tif 000002
【図２】
0004209141.tif 000003
【図３】
0004209141.tif 000004
【図４】
0004209141.tif 000005
【図５】
0004209141.tif 000006
【図６】
0004209141.tif 000007
【図７】
0004209141.tif 000008
【図８】
0004209141.tif 000009
【図９】
0004209141.tif 000010
【図１０】
0004209141.tif 000011
【図１１】
0004209141.tif 000012
【図１２】
0004209141.tif 000013
【図１３】
0004209141.tif 000014
【図１４】
0004209141.tif 000015